(57)【要約】【課題】物品を支持する部材のレイアウトの自由度を高めることができる収納ユニットを提供する。【解決手段】収納ユニットは、板面が対向するように、幅方向に隣り合って配置された複数の板材１と、物品を支持する物品支持部材と、を備える収納ユニットであって、板材１の板面のうち隣り合う板材１側を向く取付面１ｍには、前後方向に延びるレール２が上下方向に離間して複数設けられ、レール２には、物品支持部材５００が係合可能とされていることを特徴とする。【選択図】図３
2020062329.tif 000002
【特許請求の範囲】
【請求項１】
板面が対向するように、幅方向に隣り合って配置された複数の板材と、
物品を支持する物品支持部材と、を備える収納ユニットであって、
前記板材の前記板面のうち隣り合う前記板材側を向く取付面には、前後方向に延びるレールが上下方向に離間して複数設けられ、
該レールには、前記物品支持部材が係合可能とされていることを特徴とする収納ユニット。
【請求項２】
前記物品支持部材は、前記レールに係合された棚板支持部材であり、
前記棚板支持部材に支持された棚板を備える請求項１に記載の収納ユニット。
【請求項３】
前記板材は、
前記幅方向に離間して配置された一対の側板と、
該一対の側板の間に、前記板面が前記側板の前記取付面に対向するように配置された中仕切板と、を有し、
該中仕切板には、両側の前記板面に前記レールが設けられている請求項１または２に記載の収納ユニット。
【請求項４】
前記物品支持部材は、
前記レールに係合される係合部と、
該係合部から下方に延びる垂下部と、
該垂下部に設けられ前記物品を支持する物品支持部と、を有する請求項１から３のいずれか一項に記載の収納ユニット。
【請求項５】
前記板材の前記取付面には、該板材の反対側の前記板面側に向かって凹む取付溝が形成され、
前記レールは
前記取付溝の底部に沿って配置される底壁部と、
該底壁部から前記取付溝の開口側に向かって延びる側壁部と、
該側壁部における前記取付溝の開口側の端部から前記取付面に沿って延びる延出壁部と、を有する請求項１から４のいずれか一項に記載の収納ユニット。
【請求項６】
前記レールは、前記側壁部における前記取付溝の開口側の端部から前記取付溝の内側に向かって延び、前記棚板支持部材が係合可能な係合壁部を有する請求項５に記載の収納ユニット。
【発明の詳細な説明】
【技術分野】
【０００１】
本発明は、収納ユニットに関するものである。
【背景技術】
【０００２】
従来から、住宅の収納空間には、衣類や小物等の物品を収容可能なクローゼット等の収納ユニットが設置されている。
【０００３】
例えば、収納棚の側板に係止穴（ダボ穴）が形成され、係止穴に係止具のピン部（ダボ）が嵌合され、係止具に棚板等が支持されたものが知られている（下記の特許文献１参照）。
【先行技術文献】
【特許文献】
【０００４】
【特許文献１】実用新案登録第３１９８１７５号公報
【発明の概要】
【発明が解決しようとする課題】
【０００５】
しかしながら、上記の特許文献１の収納棚では、側板にダボ穴が形成されている箇所にしか棚板等の物品を支持する部材を設置することができないため、物品を支持する部材のレイアウト変更が制限されてしまうという問題点がある。
【０００６】
そこで、本発明は、上記事情に鑑みてなされたものであり、物品を支持する部材のレイアウトの自由度を高めることができる収納ユニットを提供する。
【課題を解決するための手段】
【０００７】
上記目的を達成するために、本発明は以下の手段を採用している。
すなわち、本発明に係る収納ユニットは、板面が対向するように、幅方向に隣り合って配置された複数の板材と、物品を支持する物品支持部材と、を備える収納ユニットであって、前記板材の前記板面のうち隣り合う前記板材側を向く取付面には、前後方向に延びるレールが上下方向に離間して複数設けられ、該レールには、前記物品支持部材が係合可能とされていることを特徴とする。
【０００８】
このように構成された収納ユニットでは、板材の取付面にはレールが設けられ、レールに物品支持部材が係合されている。レールは前後方向に延びるとともに上下方向に離間して複数設けられているため、物品支持部材はレールの設置箇所に対応して上下方向及び前後方向の所望の箇所に配置することができる。よって、物品を支持する物品支持部材のレイアウトの自由度を高めることができる。
【０００９】
また、本発明に係る収納ユニットでは、前記物品支持部材は、前記レールに係合された棚板支持部材であり、前記棚板支持部材に支持された棚板を備えることが好ましい。
【００１０】
このように構成された収納ユニットでは、棚板支持部材はレールの設置箇所に対応して上下方向及び前後方向の所望の箇所に配置され、棚板は棚板支持部材に支持されている。よって、棚板のレイアウトの自由度を高めることができる。
【００１１】
また、本発明に係る収納ユニットは、前記板材は、前記幅方向に離間して配置された一対の側板と、該一対の側板の間に、前記板面が前記側板の前記取付面に対向するように配置された中仕切板と、を有し、該中仕切板には、両側の前記板面に前記レールが設けられていてもよい。
【００１２】
このように構成された収納ユニットでは、中仕切板の両側の板面にレールが設けられているため、両側のレールに棚板支持部材を係合させて棚板支持部材に棚板を支持されることで、中仕切板の両側に棚板を設けることができる。
【００１３】
また、本発明に係る収納ユニットは、前記物品支持部材は、前記レールに係合される係合部と、該係合部から下方に延びる垂下部と、該垂下部に設けられ前記物品を支持する物品支持部と、を有していてもよい。
【００１４】
このように構成された収納ユニットでは、レールに係合された物品支持部材の係合部には、下方に延びる垂下部が設けられ、垂下部には物品を支持する物品支持部が設けられている。垂下部の上下方向の長さ対応する長さ分、物品をレールの下方に設けることができる。よって、レールに棚板が設けられていても、平面視で棚板と重なる位置で、棚板の下方に物品支持部材を配置することができる。
【００１５】
また、本発明に係る収納ユニットは、前記板材の前記取付面には、該板材の反対側の前記板面側に向かって凹む取付溝が形成され、前記レールは前記取付溝の底部に沿って配置される底壁部と、該底壁部から前記取付溝の開口側に向かって延びる側壁部と、該側壁部における前記取付溝の開口側の端部から前記取付面に沿って延びる延出壁部と、を有していてもよい。
【００１６】
このように構成された収納ユニットでは、レールの側壁部及び延出壁部が、取付溝の開口の縁部に沿って配置されている。よって、取付溝の開口の縁部が側壁部及び延出壁部で保護されるため、開口の縁部の欠け、損傷が抑制される。
【００１７】
また、本発明に係る収納ユニットは、前記レールは、前記側壁部における前記取付溝の開口側の端部から前記取付溝の内側に向かって延び、前記棚板支持部材が係合可能な係合壁部を有していてもよい。
【００１８】
このように構成された収納ユニットでは、棚板支持部材が係合されるレールの係合壁部は、側壁部における取付溝の開口側の端部から取付溝の内側に向かって延びている。よって、棚板支持部材はレールの開口側に係合されるため、棚板支持部材をレールに係合させやすい。
【発明の効果】
【００１９】
本発明に係る収納ユニットによれば、物品を支持する部材のレイアウトの自由度を高めることができる。
【図面の簡単な説明】
【００２０】
【図１】本発明の一実施形態に係る収納ユニットの斜視図である。
【図２】本発明の一実施形態に係る収納ユニットの板材の構成を示す分解斜視図である。
【図３】図１のＡ−Ａ線断面図である。
【図４】図１のＢ−Ｂ線断面図である。
【図５】本発明の一実施形態に係る収納ユニットの棚板の取付構造を示す分解斜視図である。
【図６】本発明の一実施形態に係る収納ユニットのＬ字棚板ユニットの取付構造を示す図であり、下方から見た斜視図である。
【図７】本発明の一実施形態に係る収納ユニットのＬ字棚板ユニットの取り付けに用いられるＬ字棚受け金具の構成を示す斜視図である。
【図８】図６のＣ−Ｃ線断面図である。
【発明を実施するための形態】
【００２１】
本発明の一実施形態に係る収納ユニットについて、図面を用いて説明する。
図１は、本発明の一実施形態に係る収納ユニットの斜視図である。
本実施形態の収納ユニットは、居室の収納空間等に設置されるものである。図１に示すように、収納ユニット１００は、一対の側板（板材）１Ａと、中仕切板（板材）１Ｄと、上桟３と、幅木４と、各種オプション取付部材ＯＰと、を備えている。本実施形態では、オプション取付部材ＯＰとして、棚板５、Ｌ字棚板ユニット６Ａ、ハンガーパイプ７、フック８、サイドバー９と、を有している。
なお、以下の説明において、側板１Ａ及び中仕切板１Ｄを総称して、板材１と称することがある。
【００２２】
収納ユニット１００は、側板１Ａ、上桟３及び幅木４が設けられる側が、収納空間を形成する壁Ｗ１，Ｗ２，Ｗ３に沿って配置されるものである。なお、図１では、壁Ｗ１，Ｗ２，Ｗ３は図示せず、壁Ｗ１，Ｗ２，Ｗ３が配置される箇所に符号のみ付している。
便宜上、一対の側板１Ａの離間方向を幅方向と称し、幅方向と直交する水平方向を前後方向と称する。また、前後方向のうち、横桟側と後側とし、横桟側と反対側を前側と称する。
【００２３】
一対の側板１Ａは、幅方向に離間して配置されている。各側板１Ａは、長方形の板状に形成されている。側板１Ａは、板厚方向を幅方向に向けて配置されている。
【００２４】
図２は、板材１の構成を示す分解斜視図である。図２では、一方の面材１５を二点鎖線で示している。
図２に示すように、板材１は、枠体１０と、枠体１０の両側（収納ユニット１００の幅方向の両側）に配置された面材１５と、を有したいわゆるフラッシュ構造である。なお、板材１の説明において、板材１の幅方向（収納ユニット１００の前後方向）を板材幅方向と称する。
【００２５】
板材１は、板材幅方向に延びる複数の横芯材１１と、上下方向に延びる一対の縦芯材１２と、を有している。
【００２６】
一対の縦芯材１２は、板材幅方向に離間して配置されている。横芯材１１は、一対の縦芯材１２の上端部どうし、下端部どうし及び中間どうしをそれぞれ連結している。縦芯材１２の中間部では、横芯材１１が上下に隣接配置されている。
【００２７】
横芯材１１及び縦芯材１２は、それぞれ複数の単板１３，１４が積層され、互いに接着された単板積層材（ＬＶＬ）である。
【００２８】
横芯材１１の単板１３は、板材幅方向に長い略長方形状をなしている。単板１３は、厚み方向を上下方向に向けて配置されている。複数の単板１３が、上下方向に積層されている。
【００２９】
縦芯材１２の単板１４は、上下方向に長い略長方形状をなしている。単板１４は、厚み方向を板材幅方向に向けて配置されている。複数の単板１４が、板材幅方向に積層されている。
【００３０】
図１に示すように、各側板１Ａは、収納ユニット１００の幅方向の両側の壁Ｗ１，Ｗ２に、螺子（不図示。以下同じ。）で上下及び前後にそれぞれ複数箇所固定されている。なお、一対の側板１Ａの両方が壁Ｗ１，Ｗ２に固定されておらず、一対の側板１Ａのうちいずれか一方の側板１Ａが壁Ｗ１または壁Ｗ２に固定される構成であってもよい。
【００３１】
さらに、側板１Ａの下端部は、螺子（不図示。以下同じ。）で床に前後方向に複数箇所固定され、各螺子には螺子隠しキャップ１６が被せられている。
【００３２】
側板１Ａの板厚方向の一方側には、詳細については後述するレール２が設けられている。レール２が設けられた側が、幅方向の内側を向くように配置されている。
【００３３】
中仕切板１Ｄは、一対の側板１Ａ間の中間に配置されている。側板１Ａと中仕切板１Ｄとは、各板面（面材１５の表面）が対向するように配置されている。本実施形態では、一対の側板１Ａ間の略中央に配置されている。
【００３４】
一対の側板１Ａ間に中仕切板１Ｄが配置されることで、収納ユニット１００の内部が幅方向に２分割されている。換言すると、収納内部空間（１スパン）が２個並んだ２スパンとされている。分割された収納内部空間のうち、収納ユニット１００を正面視して左側を第１収納内部空間Ｓ１と称し、右側を第２収納内部空間Ｓ２と称することとする。
【００３５】
中仕切板１Ｄは、長方形の板状に形成されている。中仕切板１Ｄは、板厚方向を幅方向に向けて配置されている。
【００３６】
中仕切板１Ｄは、側板１Ａと同様にいわゆるフラッシュ構造である。中仕切板１Ｄの板厚方向の両側には、レール２が設けられている。なお、中仕切板１Ｄの板厚方向の一方側にのみ、レール２が設けられる構成であってもよい。
【００３７】
中仕切板１Ｄの下端部は、螺子（不図示。以下同じ。）で床に前後方向に複数箇所固定され、各螺子には螺子隠しキャップ１６が被せられている。
【００３８】
上桟３は、第１収納内部空間Ｓ１を形成する側板１Ａと中仕切板１Ｄとの間、及び第２収納内部空間Ｓ２を形成する中仕切板１Ｄと側板１Ａとの間に、それぞれ設けられている。
【００３９】
各上桟３は、収納ユニット１００の幅方向に延びている。上桟３は、収納ユニット１００の幅方向に延びる棒状をなしている。本実施形態では、上桟３は、長い直方体状をなしている。
【００４０】
上桟３の両端部３ａ，３ｂは、それぞれ板材１における隣り合う板材１側を向く面（取付面）１ｍの上端部且つ後端部に連結されている。
【００４１】
上桟３の端部３ａ，３ｂはそれぞれ、板材１に上桟固定金具３６を介して固定されている。
【００４２】
図３に示すように、上桟固定金具３６は、第１固定片３７と、第２固定片３８と、支持片３９と、を有している。
【００４３】
第１固定片３７は、板材１の取付面１ｍに沿って配置されている。第１固定片３７の取付孔３７ｈから挿通された螺子３７ｚが、板材１の面材１５を貫通して縦芯材１２に螺合されている。
【００４４】
第２固定片３８は、第１固定片３７の後端部から上桟３の延在方向の中央側に向かって延びている。第２固定片３８は、上桟３の前面３ｆに沿って配置されている。第２固定片３８の取付孔（不図示。以下同じ。）から挿通された螺子３８ｚが、上桟３に螺合されている。
【００４５】
支持片３９は、第２固定片３８の下端部から後方に向かって延びている。支持片３９は、上桟３の下面３ｄに沿って配置されている。
【００４６】
第１固定片３７が板材１に固定され、第２固定片３８が上桟３に固定され、支持片３９が上桟３を支持することで、上桟３は板材１に固定されている。本実施形態では、隣り合う板材１どうしは上桟３で連結されているのみであり、板材１どうしを連結する部材は上桟３以外にはない。
【００４７】
図１に示すように、幅木４は、第１収納内部空間Ｓ１を形成する側板１Ａと中仕切板１Ｄとの間、及び第２収納内部空間Ｓ２を形成する中仕切板１Ｄと側板１Ａとの間にそれぞれ設けられている。
【００４８】
幅木４は、収納ユニット１００の幅方向に延びている。幅木４は、収納ユニット１００の幅方向に長い直方体状をなしている。
【００４９】
幅木４の両端部４ａ，４ｂは、それぞれ板材１の取付面１ｍの下端部且つ後端部に当接している。幅木４は、後方の壁Ｗ３にタッカー等（不図示。以下同じ。）で固定されている。
【００５０】
次に、各種オプション取付部材ＯＰの構成、及び各種オプション取付部材ＯＰの板材１のレール２への取付構造について説明する。
まず、板材１に設けられたレール２について説明する。
レール２は、板材１の取付面１ｍに設けられている。レール２は、前後方向に沿って延び、板材１の前後方向の略全長にわたって設けられている。
【００５１】
レール２は、板材１の上下方向に間隔を有して複数設けられている。本実施形態では、板材１に５本のレール２が設けられているが、レール２の本数は適宜設定可能である。
【００５２】
図４は、図１のＢ−Ｂ線断面図である。
図４に示すように、板材１の取付面１ｍには、板厚方向に向かって凹む溝（取付溝）１８が形成されている。溝１８は、前後方向に沿って延び、板材１の前後方向の略全長にわたって設けられている。
【００５３】
溝１８は、板材１の取付面１ｍから凹み、横芯材１１における板材１の板厚方向の中間まで達している。溝１８の底部（凹む方向の奥側の部分）１８ａは、横芯材１１に形成されている。
【００５４】
溝１８は、板材１の板厚方向に沿う断面視で、略矩形状をなしている。溝１８の底部１８ａには、接着剤１９が設けられている。溝１８には、レール２が嵌合されている。
【００５５】
溝１８の底部１８ａは、上下方向に配置され互いに接着された複数の単板１３にまたがって配置されている。単板１３どうしは積層された方向には互いに引き離されやすい性質があるが、レール２に溝１８から外れる方向の力が作用したとしても、当該力は単板１３の積層方向と直交する方向に作用するため、単板１３の引き剥がされることがなく、溝１８が損傷したり、レール２が溝１８内から抜けたりすることが抑制される。
【００５６】
レール２は、レール底壁部（底壁部）２１と、レール側壁部（側壁部）２２と、レールフランジ壁部２３と、を有している。
【００５７】
レール底壁部２１は、溝１８の底部１８ａに沿って配置されている。レール底壁部２１は、略板状に形成されている。レール底壁部２１は、板厚方向を収納ユニット１００の幅方向に向けて配置されている。
【００５８】
レール底壁部２１は、溝１８の底部１８ａに設けられた接着剤１９に当接することで、溝１８に固定されている。従来のようにレール２を板材１に螺子で固定する場合には、螺子が板材１を貫通しないように板材１の厚みを厚くしておく必要があるが、本実施形態では、レール２を溝１８に接着剤１９で固定する構成であるため、板材１の厚みを薄くすることができる。
【００５９】
レール側壁部２２は、レール底壁部２１の上下方向の両端部から、それぞれレール底壁部２１と直交する方向である溝１８の開口側（底部１８ａ側と反対側）に向かって延びている。レール側壁部２２は、略板状に形成されている。レール側壁部２２は、板厚方向を上下方向に向けて配置されている。
【００６０】
レールフランジ壁部２３は、各レール側壁部２２の端部（溝１８の開口側の端部）から、レール側壁部２２と直交する方向である板材１の取付面１ｍに沿う方向に延びている。レールフランジ壁部２３は、略板状に形成されている。レールフランジ壁部２３は、板厚方向を収納ユニット１００の幅方向に向けて配置されている。
【００６１】
各レールフランジ壁部２３において、溝１８の内側に向かう側を内向き壁部（係合壁部）２４とし、溝１８の外側に向かう側を外向き壁部（延出壁部）２５とする。
【００６２】
上下の内向き壁部２４の間には、隙間が形成されている。外向き壁部２５は、板材１の取付面１ｍに沿って配置されている。レール側壁部２２及び外向き壁部２５は、溝１８の開口の縁部１８ｂに沿って配置されている。
【００６３】
次に、棚板５及び棚板５の取付構造について説明する。
図１に示すように、棚板５は、隣り合う板材１の間に配置されている。棚板５は、板状に形成されている。棚板５は、板厚方向を上下方向に向けて配置されている。棚板５には、物品等が載置可能である。
以下の説明において、棚板５における収納ユニット１００の幅方向を棚幅方向と称することがある。
【００６４】
図４に示すように、棚板５の下面５ｄには、棚幅方向の両端部且つ前後方向の両端部にそれぞれ、上方に向かって凹む取付穴５ｈが形成されている。取付穴５ｈには、嵌合キャップ５１が嵌合されている。嵌合キャップ５１の内部には、上下方向に貫通し棚幅方向に所定の長さを有する棚係合穴５２が形成されている。
【００６５】
図５は、棚板５の取付構造を示す分解斜視図である。
図４及び図５に示すように、棚板５は、棚板支持手段である棚受け金具（棚板支持部材、物品支持部材）５００を介して板材１に支持されている。棚受け金具５００は、棚板５の嵌合キャップ５１と対応する箇所に設けられている。
【００６６】
棚受け金具５００は、支持面部５０１と、棚係合爪５１１と、レール係合片５２１と、を有している。
【００６７】
支持面部５０１は、板状に形成されている。支持面部５０１は、板厚方向を上下方向に向けて配置されている。支持面部５０１の上面に棚板５の下面５ｄが当接配置され、支持面部５０１上に棚板５が載置されている。支持面部５０１は、平面視で略矩形状をなしている。支持面部５０１の平面視略中央には、上下方向に貫通する貫通孔５０２が形成されている。
【００６８】
図４に示すように、棚係合爪５１１は、支持面部５０１から上方に向かって突出している。棚係合爪５１１は、支持面部５０１の貫通孔５０２の縁部のうちレール２から離間した側に設けられている。棚係合爪５１１は、棚板５に形成された棚係合穴５２に係合されている。
【００６９】
棚係合爪５１１の厚さ（棚幅方向に沿う長さ）寸法は、棚板５の棚係合穴５２の長さ（棚幅方向に沿う長さ）寸法よりも小さい。これにより、棚係合爪５１１は、棚係合穴５２内で棚幅方向に位置が調整可能とされている。
【００７０】
レール係合片５２１は、傾斜部５２２と、上向き部５２３と、延出部５２４と、係合部５２５と、を有している。
【００７１】
傾斜部５２２は、支持面部５０１の端部（レール２に近接する側の端部）から、上方に向かうにしたがって次第に板材１から離間する方向（棚幅方向の内側）に延びている。傾斜部５２２の下端部は、板材１の取付面１ｍに当接している。
【００７２】
上向き部５２３は、傾斜部５２２の上端部から鉛直上方に延びている。上方に向かうにしたがって次第に側板１Ａから離間する方向に向かう傾斜部５２２が設けられていることで、上向き部５２３は板材１と棚幅方向に離間して配置されている。
【００７３】
延出部５２４は、上向き部５２３の上端部から、上向き部５２３と直交する方向である板材１の溝１８の底部１８ａに向かう方向（棚幅方向の外側）に向かって延びている。延出部５２４は、溝１８に設けられたレール２の下側の内向き壁部２４に当接配置されている。なお、延出部５２４が延びる方向は、上向き部５２３と直交する方向でなくても、溝１８の底部１８ａに向かうにしたがって次第に上方または下方に向かうように傾斜していてもよい。この場合、延出部５２４がレール２の内向き壁部２４に当接していればよい。
【００７４】
係合部５２５は、延出部５２４の端部（溝１８の底部１８ａ側の端部）から鉛直上方に向かって延びている。係合部５２５は、上向き部５２３よりも溝１８の底部１８ａ側（棚幅方向の外側）に配置されている。係合部５２５の上端部は、レール２の上側の内向き壁部２４に係合されている。換言すると、係合部５２５の上端部は、レール２の内向き壁部２４における溝１８の底部１８ａ側を向く面に当接している。これにより、棚受け金具５００はレール２に係合されている。
【００７５】
棚板５が板材１に取り付けられた状態で、棚板５の棚幅方向の端部の面（端面）５ｓと板材１の取付面１ｍとの間には、隙間ｔ１が形成されている。
【００７６】
少なくとも１枚の棚板５は、図５に示すように、棚幅方向の両端部が棚板固定手段である棚固定金具５５０を介して板材１に固定されている。本実施形態のように、２スパンの構成では、一方の収納内部空間（Ｓ１またはＳ２）では、２枚の棚板５が棚固定金具５５０を介して板材１に固定され、他方の収納内部空間（Ｓ２またはＳ１）では、１枚の棚板５が棚固定金具５５０を介して板材１に固定されることが好ましい。
【００７７】
棚固定金具５５０は、固定対象となる棚板５において、前後２箇所の棚受け金具５００のうち前側の棚受け金具５００の少し後方に配置されている。
【００７８】
棚固定金具５５０は、前後方向から見て略Ｌ字状をなしている。棚固定金具５５０は、第１片部５５１と、第２片部５６１と、連結片部５７１と、を有している。
【００７９】
第１片部５５１は、板状に形成されている。第１片部５５１は、板厚方向を棚幅方向に向けて配置されている。第１片部５５１は、板材１の取付面１ｍに沿って配置されている。
【００８０】
第１片部５５１には、板厚方向に貫通する取付孔（不図示。以下同じ。）が形成されている。取付孔から挿通された螺子５５３が、板材１に螺合されている。
【００８１】
第２片部５６１は、板状に形成されている。第２片部５６１は、板厚方向を上下方向に向けて配置されている。第２片部５６１は、棚板５の下面５ｄに沿って配置されている。
【００８２】
第２片部５６１には、板厚方向に貫通する取付孔５６２が形成されている。取付孔５６２から挿通された螺子５６３が、棚板５に螺合されている。
【００８３】
連結片部５７１は、第１片部５５１の上端部と第２片部５６１の端部（棚幅方向の外側の端部）とを連結している。
【００８４】
棚固定金具５５０には、第１片部５５１、第２片部５６１及び連結片部５７１を覆うように金具キャップ５８１が設けられている。
【００８５】
次に、Ｌ字棚板ユニット６Ａ及びＬ字棚板ユニット６Ａの取付構造について説明する。
図１の第２収納内部空間Ｓ２の上部には、Ｌ字棚板ユニット６Ａが設けられている。
なお、下記のＬ字棚板ユニット６Ａや他のオプション取付部材ＯＰの構造及び取付構造説明において、前述したオプション取付部材ＯＰの一部と同様の構成については、同一の符号を付して説明を省略する。
【００８６】
Ｌ字棚板ユニット６Ａは、後側に配置された上記に示す棚板５と、前側に配置されたＬ字用棚板６と、を有している。棚板５とＬ字用棚板６とは、前後方向に当接配置されている。
【００８７】
Ｌ字用棚板６の棚幅方向の寸法は、棚板５の棚幅方向の寸法よりも短い。Ｌ字用棚板６は、隣り合う板材１の一方側の板材１に設けられている。これにより、利用者は、Ｌ字用棚板６よりも他方の板材１側に立って、後側の棚板５に載置された物品にアクセスすることが可能である。
【００８８】
図６は、Ｌ字棚板ユニット６Ａの取付構造を示す図であり、下方から見た斜視図である。
図６に示すように、棚板５の後端部は、棚幅方向の両端部が棚受け金具５００を介して板材１に支持されている。棚板５の前部では、棚幅方向の両端部が棚固定金具５５０を介して棚板５に固定されている。棚板５の前端部では、棚受け金具５００に替えてＬ字棚受け金具６００を介して板材１に支持されている。
【００８９】
Ｌ字棚受け金具６００は、棚板５とＬ字用棚板６とにまたがって配置されている。換言すると、Ｌ字棚受け金具６００は、棚板５の前端部からＬ字用棚板６の後端部まで配置されている。
【００９０】
図７は、Ｌ字棚受け金具６００の構成を示す斜視図である。図７では、後述するパイプ受け７００も示し、棚板５及びＬ字用棚板６の図示を省略している。
図７に示すように、Ｌ字棚受け金具６００は、支持面部６０１と、棚係合爪５１１と、レール係合片５２１と、を有している。
【００９１】
支持面部６０１は、板状に形成されている。支持面部６０１は、板厚方向を上下方向に向けて配置されている。図６に示すように、支持面部６０１の上面に棚板５の下面５ｄが当接配置され、支持面部６０１上に棚板５が載置されている。支持面部６０１は、平面視で前後方向に長い長方形状をなしている。
【００９２】
図７に示すように、支持面部６０１の後部には、上下方向に貫通する貫通孔６０２が形成されている。支持面部６０１の前部には、上下方向に貫通する取付孔６０３が前後２箇所形成されている。各取付孔６０３から挿通された螺子６０４（図６参照）が、Ｌ字用棚板６に螺合されている。
【００９３】
棚係合爪５１１は、支持面部６０１から上方に向かって突出している。棚係合爪５１１は、棚板５に形成された棚係合穴５２（図５参照。以下同じ。）に係合されている。
【００９４】
レール係合片５２１は、支持面部６０１の前部及び後部にそれぞれ設けられている。各レール係合片５２１の係合部５２５の上端部は、レール２の内向き壁部２４に係合されている。
【００９５】
支持面部６０１の端部（レール２に近接する側の端部）には、前後のレール係合片５２１の間に、棚幅方向の内側に向かって凹む挿通部６０６が形成されている。挿通部６０６は、支持面部６０１を上下方向に貫通して形成されている。挿通部６０６には、後述するパイプ受け７００の垂下面部７０１が挿通可能とされている。
【００９６】
図６に示すように、Ｌ字用棚板６の後端部には、ジョイント部材６５０が棚幅方向に離間して２箇所に固定されている。
【００９７】
図８は、図６のＣ−Ｃ線断面図である。
図８に示すように、ジョイント部材６５０は、取付面部６５１と、下面部６６１と、上面部６７１と、を有している。
【００９８】
取付面部６５１は、板状に形成されている。取付面部６５１は、板厚方向を前後方向に向けて配置されている。取付面部６５１には、前後方向に貫通する取付孔６５２が形成されている。取付孔６５２から挿通された螺子６５３が、Ｌ字用棚板６に螺合されている。取付面部６５１は、棚板５の前端面５ｆとＬ字用棚板６の後端面６ｂとの間に挟み込まれている。
【００９９】
下面部６６１は、取付面部６５１の下端部から、前方に向かって延びている。下面部６６１は、板状に形成されている。下面部６６１は、板厚方向を上下方向に向けて配置されている。下面部６６１は、Ｌ字用棚板６の下面６ｄに沿って配置されている。
【０１００】
上面部６７１は、取付面部６５１の上端部から、前方及び後方に向かって延びている。上面部６７１は、板状に形成されている。上面部６７１は、板厚方向を上下方向に向けて配置されている。上面部６７１の前部は、Ｌ字用棚板６の上面６ｕに沿って配置されている。上面部６７１の後部は、棚板５の上面５ｕに沿って配置されている。
【０１０１】
図６に示すように、Ｌ字用棚板６の前端部は、棚受け金具５００を介して板材１に支持されている。
【０１０２】
このようにして、Ｌ字用棚板６は、後端部がＬ字棚受け金具６００を介して板材１に支持され、前端部が棚受け金具５００を介して板材１に支持されている。さらに、Ｌ字用棚板６に固定されたジョイント部材６５０の上面部６７１が棚板５に載置されることで、Ｌ字用棚板６は棚板５にも支持されている。
【０１０３】
次に、ハンガーパイプ７及びハンガーパイプ７の取付構造について説明する。
図１に示すように、ハンガーパイプ７は、パイプ受け（物品支持部材）７００を介して板材１のレール２に取り付けられている。ハンガーパイプ７には、ハンガー等を掛けることができる。
【０１０４】
図７に示すように、パイプ受け７００は、垂下面部（垂下部）７０１と、レール係合片（係合部）７１１と、パイプ支持部（物品支持部）７２１と、を有している。
【０１０５】
垂下面部７０１は、板状に形成されている。垂下面部７０１は、板厚方向を収納ユニット１００の幅方向に向けて配置されている。垂下面部７０１の下部には、収納ユニット１００の幅方向に貫通する取付孔７０２が形成されている。
【０１０６】
垂下面部７０１の下端部には、収納ユニット１００の幅方向から見て、下方に凸となるように湾曲形成された湾曲部７０３が形成されている。湾曲部７０３の形状は、ハンガーパイプ７の下部の形状に対応している。
【０１０７】
図３に示すように、垂下面部７０１の外面（板材１の取付面１ｍに近接する側の面）の上部は、上方に向かうにしたがって次第に取付面１ｍから離間する方向に傾斜する傾斜面７０４が形成されている。これにより、垂下面部７０１の外面の上端部は、板材１の取付面１ｍとの間に隙間が形成されている。
【０１０８】
レール係合片７１１は、延出部５２４と、係合部５２５と、を有している。延出部５２４は、垂下面部７０１の上端部から、板材１の溝１８の底部１８ａに向かう方向に向かって延びている。係合部５２５は、延出部５２４の端部（溝１８の底部１８ａ側の端部）から鉛直上方に向かって延びている。係合部５２５の上端部は、レール２の上側の内向き壁部２４に係合されている。これにより、パイプ受け７００はレール２に係合されている。
【０１０９】
垂下面部７０１の上端部は、棚板５の端面５ｓと板材１の取付面１ｍとの間に形成された隙間ｔ１に配置されている。パイプ受け７００は、レール２に係合された状態で、隙間ｔ１を前後方向に移動可能とされている。これにより、同一レール２を利用して、棚板５の前後方向内に、ハンガーパイプ７を設けることができる。
【０１１０】
図７に示すように、垂下面部７０１の上端部は、Ｌ字棚受け金具６００の挿通部６０６に挿通可能とされている。これにより、同一レール２に、棚板５、Ｌ字用棚板６及びハンガーパイプ７を設けることができる。
【０１１１】
パイプ支持部７２１は、垂下面部７０１の下端部に設けられている。パイプ支持部７２１は、受け底壁部７２２と、受け側壁部７２３と、を有している。
【０１１２】
受け底壁部７２２は、垂下面部７０１の湾曲部７０３の下端部に沿って設けられている。受け底壁部７２２は、垂下面部７０１から直交し板材１から離間する方向に延びている。
【０１１３】
受け側壁部７２３は、垂下面部７０１の下部の前後方向の両端部にそれぞれ設けられている。受け側壁部７２３は、垂下面部７０１から直交し板材１から離間する方向に延びている。受け側壁部７２３は、受け底壁部７２２と連続して設けられている。
【０１１４】
図１に示すように、ハンガーパイプ７は、棒状に形成されている。ハンガーパイプ７は、収納ユニット１００の幅方向に延びている。
【０１１５】
図３に示すように、ハンガーパイプ７の延在方向の両端部は、パイプ受け７００の受け底壁部７２２及び受け側壁部７２３に支持されている。
【０１１６】
ハンガーパイプ７の延在方向の両端部には、螺子孔（不図示。以下同じ。）が形成されている。パイプ受け７００の垂下面部７０１の取付孔７０２（図７参照。以下同じ。）から挿通された螺子（不図示。以下同じ。）がハンガーパイプ７の螺子孔に螺合されている。
【０１１７】
次に、フック８及びフック８の取付構造について説明する。
図１に示すように、フック（物品支持部材）８は、上下面部（垂下部）８１と、レール係合片（係合部）７１１（図３に示すパイプ受け７００のレール係合片７１１参照。以下同じ。）と、鉤状部（物品支持部）８６と、を有している。フック８には、紐状や鉤状等の物品を掛けることができる。
【０１１８】
上下面部８１は、板状に形成されている。上下面部８１は、板厚方向を収納ユニット１００の幅方向に向けて配置されている。
【０１１９】
レール係合片７１１は、延出部５２４と、係合部５２５と、を有している。延出部５２４は、上下面部８１の上端部から、板材１の溝１８の底部１８ａに向かう方向に向かって延びている。係合部５２５は、延出部５２４の端部（溝１８の底部１８ａ側の端部）から鉛直上方に向かって延びている。係合部５２５の上端部は、レール２の内向き壁部２４に係合されている。これにより、フック８はレール２に係合されている。
【０１２０】
鉤状部８６は、上下面部８１の下端部に設けられている。鉤状部８６は、延出壁部８６ａと、上向き壁部８６ｂと、を有している。
【０１２１】
延出壁部８６ａは、上下面部８１の下端部から直交し板材１から離間する方向に延びている。上向き壁部８６ｂは、延出壁部８６ａの端部（板材１側と反対側の端部）から上方に向かって延びている。上向き部５２３により、延出壁部８６ａに掛けられた物品の移動及び落下が抑制されている。
【０１２２】
次に、サイドバー９及びサイドバー９の取付構造について説明する。
サイドバー（物品支持部材）９は、上下面部（垂下部）８１と、レール係合片（係合部）７１１（図３に示すパイプ受け７００のレール係合片７１１参照。以下同じ。）と、連結壁部（物品支持部）９６と、を有している。サイドバー９には、鉤状等の物品を掛けることができる。
【０１２３】
上下面部８１は、前後方向に離間して一対設けられている。上下面部８１は、板厚方向を収納ユニット１００の幅方向に向けて配置されている。
【０１２４】
レール係合片７１１は、延出部５２４と、係合部５２５と、を有している。延出部５２４は、各上下面部８１の上端部から、板材１の溝１８の底部１８ａに向かう方向に向かって延びている。係合部５２５は、延出部５２４の端部（溝１８の底部１８ａ側の端部）から上方に向かって延びている。係合部５２５の上端部は、レール２の内向き壁部２４に係合されている。これにより、フック８はレール２に係合されている。
【０１２５】
連結壁部９６は、一対の上下面部８１の下端部どうしを連結している。連結壁部９６は、各上下面部８１の下端部から他方の上下面部８１から離間する方向の延びる第１壁部９６ａと、各第１壁部９６ａの端部から板材１から離間する方向の延びる第２壁部９６ｂと、第２壁部９６ｂの端部どうしを連結する第３壁部９６ｃと、を有している。
【０１２６】
なお、棚板５、Ｌ字棚板ユニット６Ａ、ハンガーパイプ７、フック８及びサイドバー９の設置位置はレール２に沿って適宜設定可能である。
【０１２７】
次に、上記の収納ユニット１００の施工方法について説明する。オプション取付部材ＯＰの一例として、棚板５の取り付け方法について説明する。
まず、一方の側板１Ａの側板固定工程を行う。
ここでは、まず、壁Ｗ１に面した側板１Ａ（以下、側板１ＡＡとする。図１参照。）を設置するものとする。壁Ｗ１に面して側板１ＡＡを配置して、側板１ＡＡを螺子で壁Ｗ１に固定する。また、側板１ＡＡの下端部を螺子で床に固定し、螺子には螺子隠しキャップ１６を被せる。なお、側板１ＡＡや後述する中仕切板１Ｄには、予めレール２が設けられている。
【０１２８】
次に、第１収納内部空間Ｓ１での第一連結部材設置工程を行う。
側板１ＡＡの上端部且つ後端部に、上桟固定金具３６を螺子３７ｚで固定する。上桟固定金具３６の支持片３９に、上桟３の端部３ａを載せて、螺子３８ｚで上桟３を上桟固定金具３６に固定する。
【０１２９】
次に、第１収納内部空間Ｓ１での幅木設置工程を行う。
側板１ＡＡの下端部且つ後端部に、幅木４の端部４ａを突き当てて、幅木４をタッカー等で後方の壁Ｗ３に固定する。
【０１３０】
次に、中仕切板連結工程を行う。
中仕切板１Ｄにおいて、第１収納内部空間Ｓ１側を向く面に、上記と同様にして、上桟固定金具３６を螺子３７ｚで固定する。
【０１３１】
中仕切板１Ｄを上桟３の端部３ｂ及び幅木４の端部４ｂに突き当てるようにして、中仕切板１Ｄを所定の位置に配置する。上桟３及び幅木４は、中仕切板１Ｄの幅方向及び前後方向の位置出しの役割を担っている。
【０１３２】
中仕切板１Ｄに設けられた上桟固定金具３６の支持片３９に、上桟３の端部３ｂを載せて、螺子３８ｚで上桟３を上桟固定金具３６に固定する。
【０１３３】
次に、中仕切板固定工程を行う。
中仕切板１Ｄの下端部を螺子で床に固定し、螺子には螺子隠しキャップ１６を被せる。
【０１３４】
次に、他方の側板１Ａの側板固定工程を行う。
壁Ｗ２に面して側板１Ａ（以下、側板１ＡＢとする。図１参照。）を配置して、側板１ＡＢを螺子で壁Ｗ２に固定する。また、側板１ＡＢの下端部を螺子で床に固定し、螺子には螺子隠しキャップ１６が被せる。なお、側板１ＡＡを壁Ｗ１に固定する工程で、側板１ＡＢも壁Ｗ２に固定しておいてもよい。
【０１３５】
次に、第２収納内部空間Ｓ２での第二連結部材連結工程を行う。
中仕切板１Ｄにおける第２収納内部空間Ｓ２側を向く面の上端部且つ後端部に、上桟固定金具３６を螺子３７ｚで固定する。側板１ＡＢの上端部且つ後端部に、上桟固定金具３６を螺子３７ｚで固定する。各上桟固定金具３６の支持片３９に、上桟３の端部を載せて、螺子３８ｚで上桟３を上桟固定金具３６に固定する。
【０１３６】
次に、第２収納内部空間Ｓ２での幅木設置工程を行う。
幅木４の端部４ａ，４ｂを、中仕切板１Ｄ及び側板１ＡＢの下端部且つ後端部に突き当てて、幅木４をタッカー等で後方の壁Ｗ３に固定する。
なお、第二連結部材連結工程及び幅木設置工程において、第２収納内部空間Ｓ２の開口寸法（中仕切板１Ｄと側板１ＡＢとの離間寸法）に合わせて、現場で上桟３及び幅木４を切断するようにしてもよい。
【０１３７】
次に、棚板支持工程を行う。
棚板５を設置する箇所のレール２に、棚受け金具５００を係合させる。この際に、棚受け金具５００を、棚受け金具５００の上向き部５２３が下方に向かうにしたがって次第に板材１から離間するように傾斜させて、棚受け金具５００の先端部（係合部５２５）をレール２の上下の内向き壁部２４の間に挿入する。その後、上向き部５２３が板材１に沿うように、係合部５２５を中心として棚受け金具５００を回転させて、係合部５２５をレール２の内向き壁部２４に係合させる。
【０１３８】
側板１Ａと中仕切板１Ｄとの間に棚板５を配置して、棚板５の棚係合穴５２に棚受け金具５００の棚係合爪５１１を係合させる。なお、この際に、棚板５を設置する収納内部空間の開口寸法に合わせて、現場で棚板５を切断するようにしてもよい。この場合には、棚板５の棚幅方向のうち棚係合穴５２が設けられた側と残すようにして、棚幅方向の反対側には棚係合爪５１１と係合可能な大きさの下穴を設けるようにする。
【０１３９】
次に、棚板固定工程を行う。
棚板５を側板１Ａに固定する箇所では、棚固定金具５５０を板材１に取付面１ｍに配置し、第１片部５５１を螺子５５３で板材１に固定するとともに、第２片部５６１を螺子５６３で棚板５に固定する。
【０１４０】
このように構成された収納ユニット１００では、板材１の取付面１ｍにはレール２が設けられ、レール２に棚受け金具５００が係合されている。棚板５は、棚受け金具５００に支持されている。レール２は前後方向に延びるとともに上下方向に離間して複数設けられているため、棚受け金具５００はレール２の設置箇所に対応して上下方向及び前後方向の所望の箇所に配置することができる。よって、棚受け金具５００に支持される棚板５のレイアウトの自由度を高めることができる。レール２には、フック８、サイドバー９及びパイプ受け７００も係合可能であり、フック８、サイドバー９及びパイプ受け７００に支持されたハンガーパイプ７のレイアウトの自由度も高めることができる。
【０１４１】
また、中仕切板１Ｄの両側の取付面１ｍにレール２が設けられているため、両側のレール２に棚受け金具５００を係合させて棚受け金具５００に棚板５を支持されることで、中仕切板の板厚方向の両側に棚板５を設けることができる。
【０１４２】
また、レール２に係合されたパイプ受け７００のレール係合片７１１には、下方に延びる垂下面部７０１が設けられ、垂下面部７０１にはハンガーパイプ７を支持するパイプ支持部７２１が設けられている。垂下面部７０１の上下方向の長さ対応する長さ分、物品をレール２の下方に設けることができる。よって、レール２に棚板５が設けられていても、平面視で棚板５と重なる位置で、棚板５の下方にパイプ受け７００を配置することができる。
【０１４３】
また、レール２のレール側壁部２２及び外向き壁部２５が、溝１８の開口の縁部１８ｂに沿って配置されている。よって、溝１８の開口の縁部１８ｂがレール側壁部２２及び外向き壁部２５で保護されるため、開口の縁部１８ｂの欠け、損傷が抑制される。
【０１４４】
また、棚受け金具５００が係合されるレール２の内向き壁部２４は、レール側壁部２２における溝１８の開口側の端部から溝１８の内側に向かって延びている。よって、棚受け金具５００はレール２の開口側に係合されるため、棚受け金具５００をレール２に係合させやすい。
【０１４５】
なお、本発明に係る収納ユニット１００は、上述した実施形態に限定されるものではなく、本発明の要旨を逸脱しない範囲で適宜の変更や置換等が可能である。
【０１４６】
例えば、上記に示す実施形態では、レール２が板材１の前後方向の略全長に設けられているが、本発明はこれに限られない。レールは、板材１の前後方向に断続的に設けられていてもよく、または板材１の前後方向のうち一部分にのみ設けられていてもよい。
【０１４７】
また、上記に示す実施形態では、中仕切板１Ｄの板厚方向の両側にレール２が設けられているが、本発明はこれに限られない。中仕切板１Ｄの片側のみにレール２が設けられる構成であってもよい。
【０１４８】
また、上記に示す実施形態では、フック８及びサイドバー９は上下面部（垂下部）８１を有し、物品支持部材７００は垂下面部（垂下部）７０１を有していて、物品支持部が係合部よりも垂下部の上下方向の長さに対応する長さ分、下方に設けられる構成であるが、本発明はこれに限られない。物品支持部材が垂下部を有さずに、物品支持部が係合部に直接設けられる構成であってもよい。
【０１４９】
また、上記に示す実施形態では、レール２には外向き壁部２５が設けられているが、本発明はこれに限られず、レールには延出壁部が設けられていない構成であってもよい。
【０１５０】
また、上記に示す実施形態では、レール２の内向き壁部２４に棚受け金具５００が係合される構成であるが、本発明はこれに限られない。レール２の側壁部における板材の板厚方向に中間に壁部が設けられ、当該壁部に棚板支持部材が係合される構成であってもよい。
【符号の説明】
【０１５１】
１…板材
１Ａ…側板（板材）
１Ｄ…中仕切板（板材）
１ｍ…取付面
２…レール
３…上桟
４…幅木
５…棚板
６…Ｌ字用棚板
６Ａ…Ｌ字棚板ユニット
７…ハンガーパイプ
８…フック（物品支持部材）
９…サイドバー（物品支持部材）
１０…枠体
１５…面材
１８…溝（取付溝）
１９…接着剤
２１…レール底壁部（底壁部）
２２…レール側壁部（側壁部）
２３…レールフランジ壁部
２４…内向き壁部（係合壁部）
２５…外向き壁部（延出壁部）
３６…上桟固定金具
５２…棚係合穴
８１…上下面部（垂下部）
８６…鉤状部（物品支持部）
９６…連結壁部（物品支持部）
１００…収納ユニット
５００…棚受け金具（棚板支持部材、物品支持部材）
５０１…支持面部
５１１…棚係合爪
５２１…レール係合片
５５０…棚固定金具
６００…Ｌ字棚受け金具
６５０…ジョイント部材
７００…パイプ受け（物品支持部材）
７０１…垂下面部（垂下部）
７１１…レール係合片（係合部）
７２１…パイプ支持部（物品支持部）
ＯＰ…オプション取付部材
Ｓ１…第１収納内部空間
Ｓ２…第２収納内部空間
ｔ１…隙間
Ｗ１，Ｗ２…壁
【図１】
2020062329.tif 000003
【図２】
2020062329.tif 000004
【図３】
2020062329.tif 000005
【図４】
2020062329.tif 000006
【図５】
2020062329.tif 000007
【図６】
2020062329.tif 000008
【図７】
2020062329.tif 000009
【図８】
2020062329.tif 000010